(57)【要約】【課題】触り心地が良く、弾力性が付与されたパネル片を提供する。【解決手段】本考案のパネル片１は、平板状の基板１１と、基板１１の少なくとも一方の面側に配設される緩衝材１２と、人造皮革または天然皮革からなり、少なくとも前記緩衝材と前記基板の側面とを被覆して緩衝材１２および基板１１を一体化する表皮材１３とを有する。【選択図】図１
0003152619.tif 000002
【実用新案登録請求の範囲】
【請求項１】
平板状の基板と、
該基板の少なくとも一方の面側に配設される緩衝材と、
人造皮革または天然皮革からなり、少なくとも前記緩衝材と前記基板の側面とを被覆して前記緩衝材および前記基板を一体化する表皮材とを有するパネル片。
【請求項２】
複数の前記パネル片から構成されているパネル片セットであって、
各パネル片が請求項１記載のパネル片から構成されているパネル片セット。
【請求項３】
前記各パネル片が互いに同一の形状および同一の構造である請求項２記載のパネル片セット。
【請求項４】
前記パネル片が、平面視で正多角形状を呈している請求項２または３記載のパネル片セット。
【請求項５】
前記パネル片の集合物に、前記表皮材の色が異なる複数種のパネル片が含まれている請求項３記載のパネル片セット。
【請求項６】
請求項２〜５のいずれか１項に記載のパネル片セットを用いたパネルユニットであって、
各パネル片が同一平面上で複数の方向に並べられた状態で、互いに隣接するパネル片同士が連結されることにより全体が一体にされていることを特徴とするパネルユニット。
【請求項７】
前記複数のパネル片に、前記表皮材の色が異なる複数種のパネル片が含まれている請求項６記載のパネルユニット。
【請求項８】
着座面を形成する座板と、
背もたれを形成する背板と、
前記座板の着座面上および前記背板の前面上に配設される請求項１記載のパネル片とを有する椅子であって、
前記パネル片が、互いに同一形状および同一構造であり、前記緩衝材が表を向く状態で固定されていることを特徴とする椅子。
【請求項９】
前記表皮材の色が互いに異なる前記パネル片が、前記背板および前記座板にそれぞれ固定されている請求項８記載の椅子。
【考案の詳細な説明】
【技術分野】
【０００１】
本考案は、壁や床に取り付けられるパネル片、パネル片セット、前記パネル片を用いたパネルユニット、および、前記パネル片を用いた椅子に関する。
【背景技術】
【０００２】
従来、複数のパネル片を一体化して、壁体や敷設板を構成するパネルユニットが知られている。
【０００３】
特許文献１には、複数の同じ構造のパネル片（特許文献１では個別パネル）を平面的に配列して、相互に連結されて構成されたパネルユニット（特許文献１では構造パネル）が開示されている。
【先行技術文献】
【特許文献】
【０００４】
【特許文献１】特表２００７−５０７６２８号公報
【考案の概要】
【考案が解決しようとする課題】
【０００５】
しかしながら、上記特許文献１の技術では、各パネル片は、硬質な成型品により構成されているため、触り心地が悪い。そのため、このようなパネル片により構成されたパネルユニットは、人間が直接接触するような場所に設置するには適さないという問題がある。
【０００６】
本考案は、上記従来の問題に鑑みてなされたものであり、触り心地が良く、弾力性を有するパネル片、パネル片セット、前記パネル片を用いたパネルユニット、および、前記パネル片を用いた椅子を提供することを目的としている。
【課題を解決するための手段】
【０００７】
本考案のパネル片は、平板状の基板と、該基板の少なくとも一方の面側に配設される緩衝材と、人造皮革または天然皮革からなり、少なくとも前記緩衝材と前記基板の側面とを被覆して前記緩衝材および前記基板を一体化する表皮材とを有することを特徴としている。
【０００８】
この考案によれば、基板、緩衝材および表皮材の３層でパネル片が構成されている。つまり、通常時は、基板の剛性により所定の形状を保ちながら、外側は、肌に馴染みやすい人造皮革または天然皮革の表皮材によって覆われて表面が滑らかに形成されている。また、パネル片に対して、力が加わったときには、緩衝材が弾性変形し、衝撃を吸収する。したがって、触り心地の良いパネル片を得ることができるとともに、パネル片に弾力性・衝撃吸収性能を付与することができ、使用時に人間が直接接触するような場所に設置するのに好適なパネル片を得ることができる。
【０００９】
複数の前記パネル片から構成されているパネル片セットであって、各パネル片が上記のパネル片から構成されている。
【００１０】
この考案によれば、複数のパネル片の配置状態を工夫することで、パネル品全体としての輪郭を所望に応じて変化させることができる。
【００１１】
また、前記各パネル片が互いに同一の形状および同一の構造であることが好ましい。
【００１２】
この考案によれば、高い量産性をもちながら、その配列によってバリエーションに富んだパネル品の構築ができる。
【００１３】
また、前記パネル片が、平面視で正多角形状を呈していることが好ましい。
【００１４】
この考案によれば、各パネル片が、平面視で正多角形状を呈しているので、パネル片を隣接させて隙間無く並べ易い。
【００１５】
また、前記パネル片の集合物に、前記表皮材の色が異なる複数種のパネル片が含まれていることが好ましい。
【００１６】
この考案によれば、パネル片の色の組み合わせを工夫することで、パネル片セット全体として色調を所望に応じて変化させることができる。
【００１７】
本考案のパネルユニットは、上記のいずれかに記載のパネル片セットを用いたパネルユニットであって、各パネル片が同一平面上で複数の方向に並べられた状態で、互いに隣接するパネル片同士が連結されることにより全体が一体にされていることを特徴とする。
【００１８】
この考案によれば、弾力性が付与されたパネル片が、複数、平面的に広がるように並べられた状態で一体化されて、パネルユニットを構成する。したがって、パネルユニット全体に弾力性・衝撃吸収性能を付与することができる。
【００１９】
また、前記複数のパネル片に、前記表皮材の色が異なる複数種のパネル片が含まれていることが好ましい。
【００２０】
この考案によれば、使用するパネル片の色の組み合わせを工夫することで、パネルユニット全体として配色・模様を所望に応じて変化させることができる。
【００２１】
本考案の椅子は、着座面を形成する座板と、背もたれを形成する背板と、前記座板の着座面上および前記背板の前面上に配設される請求項１記載のパネル片とを有する椅子であって、前記パネル片が、互いに同一形状および同一構造であり、前記緩衝材が表を向く状態で固定されていることを特徴とする。
【００２２】
この考案によれば、弾力性が付与されたパネル片が、椅子の背板および座板に配設されている。したがって、椅子に着座する人の荷重を受ける部分に弾力性・衝撃吸収性能を与えることができ、座り心地を向上させることができる。
【００２３】
また、前記表皮材の色が互いに異なる前記パネル片が、前記背板および前記座板にそれぞれ固定されていることが好ましい。
【００２４】
この考案によれば、背板および座板のぞれぞれに配設されるパネル片の色を相違させることができ、変化に富んだ配色の椅子を得ることができる。
【考案の効果】
【００２５】
本考案によれば、触り心地が良く、弾力性が付与されたパネル片を得ることができる。
【図面の簡単な説明】
【００２６】
【図１】パネル片を説明するための断面図である。
【図２】パネル片の配設例（パネルユニットの一形態）を説明するための平面図である。
【図３】パネル片の配設例（パネルユニットの他の形態）を説明するための平面図である。
【図４】椅子の背板と座板にパネル片を嵌め込んだ状態を説明するための斜視図である。
【考案を実施するための形態】
【００２７】
以下で、本実施の形態のパネル片、パネルユニットおよび椅子について、図面を用いて詳細に説明する。
【００２８】
（実施の形態１）
図１は、パネル片１を説明するための断面図であり、図２のＩ−Ｉ線断面図である。図２は、パネル片１の配設例（パネルユニット２の一形態）を説明するための平面図である。図３は、図２と異なるパネル片１の配設例（パネルユニット２の他の形態）を説明するための平面図である。
【００２９】
パネル片１は、図１に示されるように、基板１１と、緩衝材１２と、表皮材１３と、接続具１４と、ピン１５とを有する。本実施の形態において、パネル片１は、平面視で略正方形状を呈している。このように、パネル片１の平面形状が正多角形状を呈していると、パネル片１を隙間無く隣接させて並べ易い。パネル片１は、子供でも持ち運べる程度の大きさ・重さであることが好ましく、たとえば、縦２００〜５００ｍｍ程度、横２００〜５００ｍｍ程度、厚さ２０〜３０ｍｍ程度である。
【００３０】
基板１１は、厚さ５〜２０ｍｍ程度の平板状の部材であり、この基板１１によって、パネル片１は、所定の形状、剛性が維持される。基板１１としては、とくに限定されないが、たとえば、構造用合板、普通合板、難燃合板、化粧合板などの合板を用いることができる。本実施の形態では、一般的家庭に用いられているという理由から、基板１１として、普通合板を用いている。
【００３１】
緩衝材１２は、厚さ５〜２０ｍｍ程度の、弾力性を有する部材であり、基板１１の一方の面に接するように設けられる。緩衝材１２の平面形状は、基板１１の平面形状にほぼ対応するように成形されており、基板１１に対して接着剤等により固定されていてもよいし、単に基板１１に対して載置されているだけでもよい。緩衝材１２の素材としては、とくに限定されないが、たとえば、ウレタンスポンジ、ゴムスポンジ、天然スポンジなどを用いることができる。本実施の形態では、安価で、均質という理由から、緩衝材１２の素材として、ウレタンスポンジを用いている。
【００３２】
表皮材１３は、厚さ１〜２ｍｍ程度の天然皮革からなり、緩衝材１２および基板１１を被覆して一体化する。表皮材１３として、皮革を用いることで、肌に馴染み易く、多様な色彩のパネル片１を得ることが可能となる。表皮材１３の平面的な大きさは、基板１１の平面的な大きさよりも大きく、表皮材１３を基板１１上に重ねた場合に、表皮材１３の周縁部１３ａが、所定の長さだけ基板１１の縁から外側にはみ出るように構成されている。そして、この周縁部１３ａは、基板１１の背面側（緩衝材１２が設けられた側の反対側）に折畳まれて、緩衝材１２を、基板１１と表皮材１３との間に包み込む。また、表皮材１３の天然皮革としては、とくに限定されないが、たとえば、牛、豚、馬、羊、山羊、カンガルー、ワニ、ヘビ、トカゲ、ダチョウなどの皮革を用いることができる。表皮材１３の天然皮革としては、経済性および認知度が高いという理由から、牛革が好ましい。
【００３３】
接続具１４は、複数のパネル片１を接続するためのものである。具体的には、接続具１４は、基板１１の背面側（緩衝材１２が設けられた側の反対側）に、縁から突出するように設けられる。そして、接続具１４における、基板１１の縁から突出した部分に、隣接するパネル片１の縁部分が載置されて、固定される。したがって、この接続具１４は、パネル片１の縁部分のうち部分的（他のパネル片１が隣接する縁部分のみに）に設ければよく、必ずしもパネル片１の縁部分全体に沿って設ける必要はない。
【００３４】
ピン１５は、表皮材１３の周縁部１３ａを基板１１の背面側に固定するためのものであり、基板１１の縁に沿って列をなすように、数箇所に打ち込まれる。ピン１５は、表皮材１３の周縁部１３ａを挟んで基板１１の背面側から打ち込まれる。また、本実施の形態におけるピン１５は、表皮材１３に加えて上述の接続具１４をも挟み込むように基板１１の背面側から打ち込まれる。こうして、ピン１５によって、表皮材１３の周縁部１３ａが基板１１の背面側に固定されることで、表皮材１３、緩衝材１２、および、基板１１が一体化される。
【００３５】
パネル片セットは、同一形状、同一構造の複数のパネル片１の集合物から構成されている。これによって、高い量産性をもちながら、その配列によってバリエーションに富んだパネル品の構築ができる。たとえば、数枚のパネル片１をパネル片セット一組として取り扱うことができ、販売形式や販売方法を多様化することができる。また、表皮材１３の色が異なる複数種類のパネル片１をパネル片セットに含ませることで、パネル片セット全体としての色調を所望に応じて変化させることができる。
【００３６】
パネルユニット２は、パネル片セットを用いたものである。つまり、同一形状、同一構造の複数のパネル片１が、図２および図３に示されるように、平面的に広がるように並べて（同一平面上で複数の方向に並べられた状態）互いに隣接するパネル片同士が連結されることにより全体が一体化されたものである。したがって、パネルユニット２全体に弾力性・衝撃吸収性能を付与することができる。
【００３７】
すなわち、パネル片１の並べ方を変えることで、パネルユニット２全体の平面形状つまり輪郭を所望に応じて変更することができる。表皮材１３の色が異なる複数種類のパネル片１を所望に応じて組み合わせることもできる。パネル片１の配列や、パネル片１の色の組み合わせよって、単純な構造のパネル片１を接続するだけで、変化に富んだ多様なデザインのパネルユニットが実現される。
【００３８】
本実施の形態のパネルユニットは、たとえば、タペストリー風に用いて壁の装飾（インテリア）を目的に使用してもよいし、床の上に敷いて座布団の代わりに使用してもよいし、壁体に沿って配設して壁体の保護を目的とした、あるいは、子供が使用する部屋の壁や床に配設して子供が壁や床にぶつかったときの衝撃吸収を目的とした衝撃吸収体として使用してもよい。
【００３９】
（実施の形態２）
図４は、椅子Ｃの背板Ｃ２と座板Ｃ１とにパネル片１を嵌め込んだ状態を説明するための斜視図である。
【００４０】
実施の形態２のパネル片１の構造は、接続具１４が省かれていることを除いては、実施の形態１におけるパネル片１と同様であるので、ここでの説明を省略する。
【００４１】
実施の形態２におけるパネル片１は、図４に示されるように、椅子Ｃの着座面を形成する座板Ｃ１、および、椅子Ｃの背もたれを形成する背板Ｃ２に対して、それぞれ、固定されている。具体的には、座板Ｃ１には、上面に、パネル片１の外形に対応する凹部が形成され、この凹部に、前面側（緩衝材１２が設けられている側）を上方へ向けた姿勢で嵌め込まれて固定されている。また、背板Ｃ２にも、一方の面（座板Ｃ１が延びる方向を向いた面）に、座板Ｃ１と同様に、パネル片１の外形に対応する凹部が形成され、この凹部に、前面側（緩衝材１２が設けられている側）を外方へ向けた姿勢で嵌め込まれて固定されている。
【００４２】
このように、弾力性が付与されたパネル片１が、椅子Ｃの背板Ｃ２および座板Ｃ１に配設されていることで、椅子Ｃに着座する人の荷重を受ける部分に弾力性・衝撃吸収性能を与えることができ、座り心地を向上させることができる。また、背板Ｃ２および座板Ｃ１のぞれぞれに配設されるパネル片１の色を相違させることができ、変化に富んだ配色の椅子Ｃを得ることができる。
【００４３】
以上の実施の形態によれば、基板１１、緩衝材１２および表皮材１３の３層でパネル片１が構成されている。つまり、通常時は、基板１１の剛性により所定の形状を保ちながら、外側は、肌に馴染みやすい人造皮革または天然皮革の表皮材１３によって覆われて表面が滑らかに形成されている。また、パネル片１に対して、力が加わったときには、緩衝材１２が弾性変形し、衝撃を吸収する。したがって、触り心地の良いパネル片１を得ることができるとともに、パネル片１に弾力性・衝撃吸収性能を付与することができ、使用時に人間が直接接触するような場所に設置するのに好適なパネル片１を得ることができる。
【００４４】
なお、上記実施の形態では、パネル片１が、平面視で略正方形状を呈している形態について説明したが、本考案はこれに限定されるものではなく、パネル片１の平面形状は、たとえば、三角形状、五角形状、六角形状などの多角形状、円形状、楕円形状などの形態であってもよい。とくに、パネル片１の平面形状が正多角形状である場合には、パネルユニット２として用いる場合に、各パネル片１を隙間無く敷き詰め易い。
【００４５】
また、上記実施の形態では、表皮材として天然皮革を用いた形態について説明したが、本考案はこれに限定されるものではなく、表皮材として人造皮革を用いた形態であってもよい。この場合、大きさ・形の制約がない、均一な品質を得やすい、汚れにくい、などといった利点がある。
【００４６】
また、上記実施の形態では、パネル片１に接続具１４を設けて複数のパネル片１を一体にした状態で使用する形態について説明したが、本考案はこれに限定されるものではなく、接続具１４を省略した一つのパネル片１だけを用いて、座布団のごとく使用してもよい。
【００４７】
また、上記実施の形態では、同じ平面形状のパネル片１を複数並べてパネルユニット２を構成した形態について説明したが、本考案はこれに限定されるものではなく、平面形状の異なるパネル片を複数並べてパネルユニットを構成する形態であってもよい。この場合、パネルユニット全体として、より変化に富んだ模様や輪郭を形作ることができる。
【００４８】
また、上記実施の形態２では、座板Ｃ１の凹部および背板Ｃ２の凹部にパネル片１をはめ込む形態について説明したが、本考案はこれに限定されるものではなく、凹部が形成されていない座板および背板に対して、単にパネル片１を固定する形態であってもよい。
【００４９】
また、上記実施の形態では、ピン１５を用いて表皮材１３の周縁部１３ａを基板１１の背面側に固定した形態について説明したが、本考案はこれに限定されるものではなく、表皮材１３の周縁部１３ａを基板１１の背面側に対して、接着剤を用いて貼り付けて固定する形態であってもよい。
【符号の説明】
【００５０】
１  パネル片
１１  基板
１２  緩衝材
１３  表皮材
２  パネルユニット
Ｃ  椅子
Ｃ１  座板
Ｃ２  背板
【図１】
0003152619.tif 000003
【図２】
0003152619.tif 000004
【図３】
0003152619.tif 000005
【図４】
0003152619.tif 000006